(57)【特許請求の範囲】
【請求項１】
複数の画像読取素子が一次元的に配列されたイメージセンサと、前記イメージセンサを所定方向に走査する走査手段とを有し、原稿の画像を読取る画像処理装置であって、
前記所定方向に関し、原稿台ガラスとシェーディング処理のために用いるシェーディング規準板との間に配置され、前記原稿台ガラスの取り付けを補強するために用いられ、前記所定方向と交差する方向に延在して設けられる金属の支持部材と、
前記原稿の画像を読取る場合と前記シェーディング規準板を用いてシェーディングデータを取得する場合に、前記イメージセンサに供給するタイミング信号を生成する生成手段と、
前記シェーディングデータの取得後、前記イメージセンサを用いて前記原稿の画像の読取りを行う前に、前記走査手段によって前記イメージセンサを前記シェーディング基準板の位置から前記金属の支持部材が設けられた位置を経て前記原稿台ガラスの位置まで移動させる間、前記原稿の画像を読取るときや前記シェーディングデータを取得するときとは、
（１）前記タイミング信号の周波数を低くする、或いは、
（２）前記タイミング信号を生成するために使用するクロック信号を変調する、或いは、
（３）前記タイミング信号の生成そのものを停止する
ことで前記タイミング信号を変更する変更手段を有することを特徴とする画像処理装置。
【請求項２】
前記原稿を前記原稿台ガラスへ自動給紙する自動給紙手段をさらに有し、
前記走査手段はモータを含むことを特徴とする請求項１に記載の画像処理装置。
【請求項３】
前記所定方向に関し、前記金属の支持部材と前記シェーディング規準板とを挟み、前記原稿台ガラスとは反対側に設けられ、原稿を載置する第２の原稿台ガラスと、
前記第２の原稿台ガラスに載置された原稿から画像を読取る場合には、前記イメージセンサを前記第２の原稿台ガラスが設けられた領域を走査するよう前記モータの駆動を制御する駆動制御手段とをさらに有することを特徴とする請求項２に記載の画像処理装置。
【請求項４】
前記イメージセンサにより前記原稿を読み取ることにより得られた画像データに基づいて記録媒体に画像を記録するプリンタ部をさらに有することを特徴とする請求項１乃至３のいずれか１項に記載の画像処理装置。
【発明の詳細な説明】
【技術分野】
【０００１】
本発明は、例えば、画像原稿を走査して読み取るスキャナ部を搭載した画像処理装置に関する。
【背景技術】
【０００２】
画像読取装置（以下、スキャナ装置）を含め各種情報処理装置を販売するに当り、各国ごとに装置の放射する不要電磁波（不要輻射：ＥＭＩ）の規格を守ることが義務付けられている。この規格は、例えば、日本ではＶＣＣＩ、米国ではＦＣＣにより定められている。このため、装置の設計者は不要輻射の規格と装置の性能を両立させる必要がある。具体的には、不要電磁波の源となる電気信号にローパスフィルタを挿入し高周波成分を除去するなど電気回路上の手法や、電気回路を金属の筐体で囲うなどの機構上の手法によって、この対策を行っている。
【０００３】
特に、ＣＣＤなどの画像読取素子を１次元的に複数配列することにより構成したイメージセンサをその配列方向（主走査方向）とは直角の方向（副走査方向）に走査して原稿を読み取るスキャナ装置は一般的に次のように構成される。即ち、ＣＣＤのような素子を駆動するための信号を生成したり出力された画像データを取り込み各種の画像処理を行う論理回路や、ＣＰＵ・メモリなどが搭載された基板と、原稿を走査するためのイメージセンサを搭載する基板とを別々に備える。そして、これら二つの基板間はＦＦＣ（フレキシブルフラットケーブル）やハーネスなどで接続される。
【０００４】
さて、近年になり、スキャナ部とプリンタ部とが一体となり、さらにＡＤＦ（自動給紙装置）を備えた多機能プリンタ装置（以下、ＭＦＰ装置）が普及してきている。このようなＭＦＰ装置では、イメージセンサを駆動するためには幾つかの駆動信号を必要とし、これらの信号はフラットケーブルを通してイメージセンサに供給される。このような構成ではケーブルやイメージセンサから発生する電磁波を金属筐体で遮蔽することはほぼ不可能であり、イメージセンサに搭載された基板やケーブル等からの不要輻射が避けられない。
【０００５】
読み取り精度を要求されるスキャナ装置には、その筐体設計や機構制御設計において金属部品を使用することが一般的である。例えば、原稿搬送用のシャフトやモールド部材の補強用としてダイポールアンテナに近いような細長い金属部品が他の金属と接地されない状態で使用されることがある。
【０００６】
不要輻射悪化の基本要素は一般的に、ノイズ源となる電気回路やＩＣ、伝播経路、アンテナに分けられる 。
【０００７】
図１１は、基板に設けられたＩＣと不要輻射の点からアンテナとして機能するケーブルとの接続関係を示した図である。
【０００８】
図１１に示されるケーブルような金属部品はアンテナとして作用し、電気回路単体ではそれほど問題とならなかった不要輻射レベルを悪化させてしまう要因となる。
【０００９】
さらに、上述したイメージセンサを副走査方向に走査して原稿を読み取る際には、イメージセンサの走査位置によって、イメージセンサと金属部材との距離が変化する。つまりは金属部材がアンテナとして作用する距離とそうでない距離が存在することになり、１走査間で不要輻射のレベルが高い位置と低い位置が発生してしまう。
【００１０】
ＣＣＤに代表されるようなイメージセンサ素子は電源投入中に駆動クロックを止めるとデバイスを破壊する可能性があるものが多いので、その制御上、通常、電源ＯＦＦ時以外は駆動クロックを動作させたままの状態としている。従って、原稿読み取り位置以外の場所に不要輻射レベルが最も悪化するようなセンサ走査位置があった場合にも、不要輻射レベルを規格内に収めるためには何らかの対策を行う必要があった。また、読み取り終了後のバックフィード時に高速でセンサが移動してケーブルのたわみ状態が急激な変動し、その結果、原稿読み取り中よりも不要輻射レベルが悪化するような場合もある。
【００１１】
不要輻射の対策として、デジタル回路の基準クロックの後段に拡散スペクトラムクロック生成回路（ＳＳＣＧ：Spectrum Spread Clock Generator）を挿入する方法が広く知られている。デジタル回路が発生させる不要輻射は基準クロックの逓倍の高調波であることが多い。従って、ＳＳＣＧによって基準クロックの周波数を変調することにより、高調波成分の電磁界放射のピークの周波数分布を広げることでピークのレベルを下げることができる。
【００１２】
図１２は周波数１００ＭＨｚのクロック信号に対して、±５％変調した場合の放射電力分布を示す図である。
【００１３】
図１２に示されているように、クロック信号の周波数を変調することにより、電磁界放射のピークレベルが下がることが分かる。
【００１４】
ＣＣＤセンサやＣＭＯＳセンサをスキャナ装置で使用する場合、センサより得られたアナログ画像信号をデジタル回路でサンプリングしてデジタル画像データとして処理する必要がある。この場合、上記のようにデジタル回路の基準クロック信号に変調を行うと、デジタル回路で一定に決めたはずのデバイス駆動タイミングやアナログ信号のサンプリングタイミングにも当然変調が行われる。
【００１５】
図１３は本来のサンプリングタイミングと変調されたサンプリングタイミングにおいて微妙なずれが発生していることを示す図である。
【００１６】
図１３から分かるように、例えば、１ラインについて同じ色の原稿を読み取った場合でも、アナログ信号のサンプリング位置のずれによって色のムラが発生する。特に、一次元のイメージセンサを副走査方向に走査して原稿を読み取る構成のスキャナ装置の場合、ムラの周期と１ライン読み取り周期に依存して画像に縞が発生するという問題がある。
【００１７】
図１４は読み取った画像に周期的な縞模様（色ムラ）が発生する様子を示す図である。
【００１８】
上記のような画像データに含まれるノイズへの対応策として、特許文献１では、主走査の同期信号周期とＳＳＣＧの周波数拡散の周期を同期させ、主走査の基準点から一定の位置にＳＳＣＧ変調周期を発生させている。これにより、画像に現れるノイズのばらつきを一定にし、ノイズを見かけ上低減する方法を提案している。また、特許文献２では、ＳＳＣＧで各ラインごとにリセット信号を入力してタイミング信号をそろえている。
【特許文献１】特開２００２−２８１２５２号公報
【特許文献２】特開２０００−１３８８０５号公報
【発明の開示】
【発明が解決しようとする課題】
【００１９】
しかしながら上記従来例では、ＳＳＣＧによる画像劣化を回避するためだけに特別な制御や複雑な回路が必要となるため、その機能を装置に実装することがより難しく、装置の生産コストも上げることになるという問題が生じてしまう。また、ＳＳＣＧ自体がアナログ回路を含んだ構成なので、その変調周期が確実に一定周期に保たれる保証がない、ＳＳＣＧ回路自体、正常に機能しない。
【００２０】
このような理由から、不要な色ムラ発生などの悪影響なく、イメージセンサから良好な画像を取得するためには、ＳＳＣＧを使わずに、変調されない基準クロックでアナログ信号をサンプリングすることが好ましい。しかしながら、このような構成を用いた場合、その代償として、不要輻射規格を満たすための対策はより難しいものとなる。その結果として、不要輻射対策を施した装置であっても、不要輻射の規格値内には収まっているが、ある程度不要輻射が実際には発生しているという状態になる場合が多い。
【００２１】
本発明は上記従来例に鑑みてなされたもので、良好な画像を取得するとともに、十分な不要輻射対策を施した画像処理装置を提供することを目的とする。
【課題を解決するための手段】
【００２２】
上記目的を達成するために本発明の画像処理装置は、以下のような構成からなる。
【００２３】
即ち、複数の画像読取素子が一次元的に配列されたイメージセンサと、前記イメージセンサを所定方向に走査する走査手段とを有し、原稿の画像を読取る画像処理装置であって、前記所定方向に関し、原稿台ガラスとシェーディング処理のために用いるシェーディング規準板との間に配置され、前記原稿台ガラスの取り付けを補強するために用いられ、前記所定方向と交差する方向に延在して設けられる金属の支持部材と、前記原稿の画像を読取る場合と前記シェーディング規準板を用いてシェーディングデータを取得する場合に、前記イメージセンサに供給するタイミング信号を生成する生成手段と、前記シェーディングデータの取得後、前記イメージセンサを用いて前記原稿の画像の読取りを行う前に、前記走査手段によって前記イメージセンサを前記シェーディング基準板の位置から前記金属の支持部材が設けられた位置を経て前記原稿台ガラスの位置まで移動させる間、前記原稿の画像を読取るときや前記シェーディングデータを取得するときとは、（１）前記タイミング信号の周波数を低くする、或いは、（２）前記タイミング信号を生成するために使用するクロック信号を変調する、或いは、（３）前記タイミング信号の生成そのものを停止することで前記タイミング信号を変更する変更手段を有することを特徴とする。
【発明の効果】
【００２５】
従って本発明によれば、イメージセンサから画像データ取得中以外では、イメージセンサを動作させるのに用いられるタイミング信号を不要輻射が低減する状態に変更することができるという効果がある。
【００２６】
これにより、例えば、装置の設計者は原稿読み取り中に発生する不要輻射対策だけに注力すれば良く、不要輻射対策を容易にすることに貢献する。
【発明を実施するための最良の形態】
【００２７】
以下添付図面を参照して本発明の好適な実施例について、さらに具体的かつ詳細に説明する。なお、既に説明した部分には同一符号を付し重複説明を省略する。
【００２８】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００２９】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００３０】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００３１】
図１は、本発明の代表的な実施例である多機能プリンタ装置（以下、ＭＦＰ装置）の概観斜視図である。
【００３２】
ＭＦＰ装置は、プリンタ部１０１とスキャナ部が１つの装置に搭載されており、イメージセンサを走査して原稿台ガラス３０１に載置された原稿を走査してその画像を読み取ることができる。以下、このような読取走査をＢｏｏｋスキャンという。このＭＦＰ装置は、ＡＤＦユニット１０２を搭載しているため、複数枚の原稿を自動で読み取ることも可能である。ＡＤＦユニットを用いて画像読取を行うときには、搬送部２０２によりＡＤＦ用原稿台ガラス３０２の部分に原稿を搬送することによりイメージセンサに対して原稿を相対的に走査することで読み取りを行う。以下、このような読取走査をＡＤＦスキャンという。
【００３３】
補強板金２０１は原稿台ガラス３０１とＡＤＦ用原稿台ガラス３０２をモールド部品で支えるために用いられ、モールド部分が反リかえって光学系のピントずれたり、強度が足りずに割れたりすることを防いでいる。画像読取、複写等の動作モードの選択や、各スタート・ストップはパネル１０３からの操作により行う。
【００３４】
なお、この実施例では、現在ＡＤＦユニットを搭載したスキャナ装置としてコピー機能併せ持った多機能タイプが主流のため、ＭＦＰ装置を例として挙げているが、本発明はこれによって限定されるものではない。例えば、プリンタ機能を持っていないスキャナ機能のみの装置であってもかまわない。
【００３５】
また、プリンタ部１０１を構成するプリンタエンジンとしてはインクジェット方式に従ってインクを吐出して記録媒体に画像を記録する記録ヘッドを備えたプリンタエンジンが好適である。このプリンタエンジンの構成については公知であるので、その説明は省略する。
【００３６】
図２は、原稿台ガラス３０１をはずした状態のスキャナ部の内部構成図である。
【００３７】
ＣＣＤなどの素子を一次元的に配列して構成したイメージセンサ４０１はイメージセンサホルダ４０２に支えられている。イメージセンサホルダ４０２はベルト４０４と固定されており、モータ４０３を駆動ことで、イメージセンサ４０１は副走査方向に移動させ原稿を走査することができる。また、イメージセンサ４０１がぶれないように正確に走査するための固定シャフト４０５が副走査方向に設けられ、イメージセンサホルダ４０２の溝（不図示）にはめ込まれる。イメージセンサ４０１との電気信号のやり取りはフラットケーブル４０６を通して行われ、フラットケーブル４０６の先端には制御用基板（不図示）が備えられる。
【００３８】
図３は、図１に示したＭＦＰ装置の制御構成を示すブロック図である。
【００３９】
図３に示されているように、このＭＦＰ装置は、モータ４０３と、モータ駆動回路６０８と、モータ駆動回路６０８を制御するモータ制御回路６０７と、イメージセンサ４０１と、Ａ／Ｄ変換回路６１０と、画像処理回路６０４とを備える。また、イメージセンサ４０１とＡ／Ｄ変換回路に対する駆動信号を生成するタイミング生成回路６０９、ＣＰＵ６０１、ＲＯＭ６０２、ＲＡＭ６０３なども備える。
【００４０】
ユーザがパネル１０３からキースイッチを押下すると、その指示がパネル制御回路６０６を介して、ＣＰＵ６０１に転送される。そして、その指示に応じて、ＣＰＵ６０１が読取開始の命令をタイミング生成回路６０９とモータ制御回路６０７とに送信する。モータ制御回路６０７は所定の速度テーブルを元にモータ４０３を駆動制御して、イメージセンサ４０１を移動させる。この移動において、最初は静止位置からの加速を行い、その後定速領域に移行させる。
【００４１】
イメージセンサ４０１の走査速度が定速に達した後、所定の読み取り開始位置にイメージセンサ４０１が移動するとＣＰＵ６０１からの命令により、タイミング生成回路６０９はイメージセンサ４０１とＡ／Ｄ変換回路６１０に対してタイミング信号を生成する。イメージセンサ４０１から出力されるアナログ画像信号はＡ／Ｄ変換回路６１０に入力される。イメージセンサ４０１が読み取り終了位置に移動すると、イメージセンサ４０１はモータ４０３の制御により減速し、一旦停止する。その後、イメージセンサ４０１は初期位置までバックフィードし、画像読み取りの一連の処理を終了する。
【００４２】
Ａ／Ｄ変換回路６１０でデジタル信号に変換された画像信号は画像処理回路６０４に入力され、所定の画像処理が施される。その後に、その画像信号は、一旦ＳＤＲＡＭ等で構成されるＲＡＭ６０３に格納されるか、ＵＳＢなどの外部インタフェース６０５を介してＰＣ（パーソナルコンピュータ）６１１に送信される。
【００４３】
フラットケーブル４０６を通る信号は、イメージセンサ４０１、Ａ／Ｄ変換回路６１０、タイミング生成回路６０９の構成・配置に依存するが図３に示すタイミング信号（Ｔ１，Ｔ２）、画像信号（Ｇ１，Ｇ２）のうち幾つかが対象となる。
【００４４】
なお、タイミング生成回路６０９は水晶振動子７０１により発生する基本周波数信号をＳＳＣＧ回路７０２或いはＰＬＬ回路７０３で信号処理した後、これらの回路からのいずれかをセレクタ７０４により選択し、クロック信号（ＣＬＫ）として用いる。
【００４５】
図４は図１のＭＦＰ装置を側断面の一部を示した図である。
【００４６】
図４では、原稿台ガラス３０１、イメージセンサ４０１、原稿５０４、ＡＤＦユニット１０２の位置関係が示されている。
【００４７】
図４において、イメージセンサ４０１、原稿台ガラス３０１、補強板金２０１、ＡＤＦユニット１０２、ＡＤＦ原稿台ガラス３０２は図１で示したものに対応するものである。
【００４８】
このＭＦＰ装置において、Ｂｏｏｋスキャン・ＡＤＦスキャンを行う場合、画像信号のゲイン調整基準には白基準板５０１が用いられ、シェーディングデータ取得時・調光制御時に使用される。Ｂｏｏｋスキャン時はイメージセンサ４０１を走査して原稿５０４の読み取りを行う。ＡＤＦユニット１０２内には原稿５０３を搬送するための搬送ローラ５０２が複数存在し、ＡＤＦスキャン時には、イメージセンサ４０１は図示したＡＤＦ読み取り位置に固定され、搬送される原稿５０３の読み取りを行う。
【００４９】
図５は、ＭＦＰ装置による標準的なスキャン動作を示すフローチャートである。
【００５０】
読み取り開始ボタンが押されると、ステップＳ１０１では、各解像度や各読取速度での読取用タイミング信号設定を行い、イメージセンサ４０１とＡ／Ｄ変換回路６１０とを駆動し、画像読取準備を行う。
【００５１】
次に、ステップＳ１０２では、白基準板５０１を用いて、光源（不図示）の光量調整とＡ／Ｄ変換回路６１０のゲイン調整を行う（調光制御）。調光制御の後に、ステップＳ１０３では、シェーディングデータを取得する。
【００５２】
シェーディング処理とはイメージセンサ４０１の各素子ごとの感度のばらつきや経時変化を吸収するための処理であり、シェーディングデータとは処理によって得られたデータのことである。具体的には、その処理はイメージセンサ４０１の主走査方向の全画素について白データ（白基準板）と黒データ（光源消灯時）の読み取り値を取得し、原稿を読み取って得た画像データをその二つの値で正規化することにより行う。
【００５３】
調光およびシェーディングデータの取得は、イメージセンサ４０１や光源の経時変化に対応するために毎回行う場合もあれば、センサの特性や読み取りモードによって数回のスキャン当り１回行ったり、電源投入時にのみ行ったりする場合もある。また、調光制御・シェーディングデータの取得は、読み取りを行う前の校正処理の一種であるため、次に行う原稿の読み取りモードと同一の駆動タイミングでおこなわれることが多い。調光・シェーディングデータ取得後、ステップＳ１０４ではモータ４０３を駆動して原稿の読み取り動作を開始する。読み取り終了後、ステップＳ１０５ではモータ４０３の駆動を停止し、その後、ステップＳ１０６ではモータ４０３を逆回転させ、イメージセンサ４０１をバックフィードしてセンサ初期位置（ホームポジション）まで戻す。
【００５４】
以上のようにして、読み取り動作が終了する。
【００５５】
図６と図７はＢｏｏｋスキャン時、ＡＤＦスキャン時それぞれの、不要輻射レベルの変動をイメージセンサの走査位置との関係を示した図である。
【００５６】
図５を参照して説明した標準的なスキャン動作に従って原稿を読取る時、イメージセンサ４０１の内部やそのインタフェース部分に不要輻射を悪化させるノイズ成分が多く含まれている。加えて、アンテナとして作用する金属が周辺に存在すると特定の走査場所でのみ不要輻射を悪化させる要因ともなる。
【００５７】
まず、ＡＤＦスキャン時を例に取る。
【００５８】
センサ初期位置で調光・シェーディングデータ取得後、イメージセンサ４０１へのタイミング信号の設定を変更せず、ＡＤＦ読み取り位置まで移動すると、図６に示すように、途中にある補強用板金２０１との距離が短くなるときに不要輻射レベルが大きくなる。このとき、ＡＤＦ読み取り中の不要輻射レベルが規格で定められたレベルに収まっていたとしても、補強板金２０１の下を走査する間の期間で規格をオーバすることになる。
【００５９】
次に、Ｂｏｏｋスキャン動作を考える。
【００６０】
この場合には、図７に示すように、原稿読み取り方向に走査中とバックフィード中の不要輻射レベルに違いが発生することがある。フラットケーブル４０６中にはノイズ成分になりうるタイミング信号や画像信号が伝送されており、フラットケーブル４０６そのものがアンテナとして作用することは前述したとおりである。しかし、さらにイメージセンサ４０１の走査速度によってフラットケーブル４０６の撓み具合が変化してしまうと、フラットケーブル４０６は不要輻射のアンテナとしての作用も変化する。このため、走査速度によって１走査中の不要輻射の最大レベルに違いが現れてしまう。
【００６１】
Ｂｏｏｋスキャン読み取り後のバックフィードでは画像読取は行っていないため、モータは原稿読取中よりもより高速にセンサ初期位置に戻った方がユーザにとっては使い勝手が良い。言い換えると、バックフィード中の方がフラットケーブル４０６が急激に撓む可能性が高く、これが瞬間的に不要輻射レベルを悪化させる要因になっている。そのため、原稿読み取り中の不要輻射レベルが規格内であったとしても、バックフィード中に規格を超えてしまうような場合もありうる。
【００６２】
以上の検討を踏まえて、この実施例では、イメージセンサから画像データ取得する期間以外ではイメージセンサとＡ／Ｄ変換器への駆動タイミングを、不要輻射が低減する設定に変更する。これにより、装置の不要輻射対策を容易にすることが可能になる。
【００６３】
具体的には、原稿読み取り中・プレスキャン中を含め、調光、シェーディングデータ取得時等、イメージセンサから画像データ取得が行われる場合は従来のようなタイミング信号設定を行う。一方、イメージセンサが調光・シェーディングデータ取得後から原稿読み取り初期位置まで移動する期間やＢｏｏｋスキャン後のバックフィード期間などイメージセンサからの画像データ取得がない期間は、不要輻射が低減する所定のタイミング信号設定を行う。
【００６４】
調光・シェーディングデータ取得後から原稿読み取り初期位置まで移動する期間には、白基準板で調光・シェーディングを行った後、ＡＤＦ読み取り位置へ移動する場合や、Ｂｏｏｋスキャンの原稿読み取り領域を制限した場合などがある。これらの移動は、所定の読み取りモードの処理の中で行われる。
【００６５】
図８はこの実施例に従う不要輻射を低減するための画像読取動作の処理を示すフローチャートである。
【００６６】
読み取り開始ボタンが押されると、ステップＳ２０１では、各解像度での読取用タイミング信号設定を行い、ステップＳ２０２では、その設定のまま調光制御を行う。調光制御の後に、ステップＳ２０３では、シェーディングデータを取得する。
【００６７】
その後、ステップＳ２０４では、不要輻射を低減するための所定のタイミング生成回路設定を行った後、ステップＳ２０５ではイメージセンサ４０１を原稿読み取り開始位置まで移動させる。この原稿読み取り開始位置は、ＡＤＦスキャン時はＡＤＦ読み取り開始位置にあたり、Ｂｏｏｋスキャン時は原稿読み取り開始位置にあたる。
【００６８】
さらに、ステップＳ２０６では、ステップＳ２０１で行ったのと同等の各解像度での読取用タイミング信号設定を再度行い、ステップＳ２０７ではモータ４０３を駆動して原稿の読み取りを開始する。
【００６９】
このようにして、原稿からの画像読み取りを終了後、ステップＳ２０８ではモータ４０３を停止する。その後、ステップＳ２０９において、不要輻射を低減するための所定のタイミング信号設定を行った後に、ステップＳ２１０ではセンサ初期位置へイメージセンサ４０１をバックフィードする。
【００７０】
さて、以上説明した処理において実行するイメージセンサから画像データを取得していない間に行う不要輻射を低減するための具体的な設定のいくつかについて説明する。
【００７１】
（１）タイミング信号の周波数を下げる設定
図９はＣＣＤラインセンサの基本的な構成を示す図であり、図１０はイメージセンサとしてＣＣＤラインセンサを用いた場合のタイミング信号の例を示す図である。
【００７２】
図１０において、ＳＨは１ラインの読み取り基準信号であり、この信号を元にフォトダイオードで蓄積された１ライン分の電荷をＣＣＤアナログシフトレジスタに転送する。φ１、φ２はシフトレジスタに蓄積されている電荷を順番にシフトして読み出すためのシフトレジスタ転送クロック（以下、転送クロック）である。転送クロックφ１、φ２の１周期で１画素の転送を行っているとすると、ＳＨ信号１周期間隔には、１ラインのセンサ画素数分以上の転送クロックφ１、φ２のパルスが必要になる。
【００７３】
ＣＣＤは光源が点灯していない間にも暗電流により電荷が蓄積される場合があり、また読み取り中でなくても突発的な外光の進入などにより電荷が過剰に蓄積された状態になることがある。仮に、ＳＨ信号や転送クロックφ１、φ２を止めて電荷が過剰に蓄積された状態から急に読取動作を開始すると、通常読み取り中では発生しないような過剰な電荷を転送する瞬間が発生することになり、ＣＣＤの寿命を縮めたり、時には破壊することがある。従って、フォトダイオードからＣＣＤへの電荷の転送とＣＣＤシフトレジスタの電荷転送が全ての画素に対して行われるように、ＳＨ信号１周期の間に１ライン全部の画素の転送を行うようにするのが望ましい。
【００７４】
図１０には通常読み取り時（転送クロックφ１、φ２を４ＭＨｚと仮定）と低速駆動時（転送クロックφ１、φ２を２ＭＨｚと仮定）のタイミング信号のチャートが示されている。この図から分かるように、ＳＨ信号１周期内に所定のパルス数の転送クロックφ１、φ２が入力されるようにＳＨ信号の周期も２倍に伸ばすようにしている。
【００７５】
（２）タイミング信号を生成するための基準クロックにＳＳＣＧ回路で生成した変調クロックを用いる設定
この場合、通常の原稿読取時は画像への悪影響を考慮してＳＳＣＧ回路で生成した変調クロックを用いず、原稿読取時以外にＳＳＣＧ回路で生成した変調クロックを用いてタイミング信号を生成する。
【００７６】
図３に示すように、ＭＦＰ装置の制御構成では、水晶振動子７０１から逓倍して所定のクロックを生成するＰＬＬ回路７０３と、周波数変調されたクロックを生成するＳＳＣＧ回路７０２の両方が搭載されている。そして、これらの回路からのクロック信号はセレクタ７０４で切り替えて選択的にタイミング生成回路６０９に供給することで、通常の変調されないクロックとＳＳＣＧ回路による変調クロックの両方を用いることができる。
【００７７】
このような構成を用いることで、原稿読取時以外に生じる不要輻射レベルは変調クロックを用いることによる周波数変調の効果で低減され、また、タイミング信号自体は生成されるためイメージセンサを駆動することはできる。
【００７８】
（３）イメージセンサへの電源の供給とタイミング信号の生成を停止する設定
このような設定により、電源を供給していない状態では過剰な電荷が発生しないためタイミング信号も必要としない。そして、タイミング信号自体を生成しないため不要輻射レベルは低減される。
【００７９】
従って、この実施例に従えば、イメージセンサを用いて原稿を読取るときとそれ以外のときのタイミング信号を変更して、タイミング信号の供給に伴う不要輻射を低減させることができる。そのタイミング信号の変更には、信号周波数の低下、変調クロックの使用、或いは、タイミング信号生成の停止などが含まれる。
【００８０】
さらに加えて、本発明のインクジェット記録装置の形態としては、コンピュータ等の情報処理機器の画像出力装置として用いられるものの他、リーダ等と組合せた複写装置、さらには送受信機能を有するファクシミリ装置の形態を採るもの等であってもよい。
【図面の簡単な説明】
【００８１】
【図１】本発明の代表的な実施例である多機能プリンタ装置（ＭＦＰ装置）の概観斜視図である。
【図２】図１に示したＭＦＰ装置のスキャナ部の内部概観図である。
【図３】ＭＦＰ装置１の制御構成を示すブロック図である。
【図４】ＭＦＰ装置のスキャナ部のイメージセンサと原稿ガラスとＡＤＦユニットの位置関係を示す図である。
【図５】ＭＦＰ装置による標準的なスキャン動作を示すフローチャートである。
【図６】ＡＤＦスキャン時の不要輻射レベルの変動をイメージセンサの走査位置との関係を示した図である。
【図７】Ｂｏｏｋスキャン時の不要輻射レベルの変動をイメージセンサの走査位置との関係を示した図である。
【図８】不要輻射を低減するための画像読取動作の処理を示すフローチャートである。
【図９】ＣＣＤラインセンサの基本的な構成を示す図である。
【図１０】イメージセンサとしてＣＣＤラインセンサを用いた場合のタイミング信号の例を示す図である。
【図１１】基板に設けられたＩＣと不要輻射の点からアンテナとして機能するケーブルとの接続関係を示した図である。
【図１２】周波数１００ＭＨｚのクロック信号に対して、±５％変調した場合の放射電力分布を示す図である。
【図１３】本来のサンプリングタイミングと変調されたサンプリングタイミングにおいて微妙なずれが発生していることを示す図である。
【図１４】読み取った画像に周期的な縞模様（色ムラ）が発生する様子を示す図である。
【符号の説明】
【００８２】
１０１  プリンタ部
１０２  ＡＤＦユニット
４０１  イメージセンサ
４０３  モータ
６０９  タイミング生成回路
６１０  Ａ／Ｄ変換回路
７０１  水晶振動子
７０２  ＳＳＣＧ回路
７０３  ＰＬＬ回路
７０４  セレクタ
【図１】
0005017146.tif 000002
【図２】
0005017146.tif 000003
【図３】
0005017146.tif 000004
【図４】
0005017146.tif 000005
【図５】
0005017146.tif 000006
【図６】
0005017146.tif 000007
【図７】
0005017146.tif 000008
【図８】
0005017146.tif 000009
【図９】
0005017146.tif 000010
【図１０】
0005017146.tif 000011
【図１１】
0005017146.tif 000012
【図１２】
0005017146.tif 000013
【図１３】
0005017146.tif 000014
【図１４】
0005017146.tif 000015